(57)【特許請求の範囲】
【請求項１】
遊技の結果に影響を及ぼす機能を有する主基板と、該主基板以外の基板であって、配線を相互に接続するための電子部品のみが装着されたもの以外の基板である周辺基板と、当該弾球遊技機に対して不正が行なわれたことを判断するための検知を行なう第１不正検出手段と、当該弾球遊技機の外部へ信号を送信するための信号線が接続される外部接続基板とを備えた弾球遊技機において、
前記主基板は、前記周辺基板からの信号入力が可能な入力可能領域と、該入力可能領域からの信号入力が不可能であり、且つ一方向通信回路により前記周辺基板からの信号入力が不可能に構成された入力不能領域とを備えたものであり、
前記周辺基板は、前記第１不正検出手段の検出結果に基づき、前記不正が発生したか否かを判断する第１不正判断手段と、該不正判断手段の判断結果を前記主基板の入力可能領域に送信する第１不正信号送信手段とを備えたものであり、
更に前記主基板は、前記入力可能領域に入力された第１不正信号送信手段からの信号を、前記外部接続基板に出力する不正信号出力部を備え、
前記外部接続基板が、当該弾球遊技機に併設され、当該弾球遊技機で用いられる遊技球の貸出代金を受け入れる台間機に信号を送信するための台間機端子板であり、
前記主基板が、前記台間機端子板と信号を送受信することにより、遊技球を遊技者に払い出す制御を行なう払出制御基板であることを特徴とする弾球遊技機。
【請求項２】
請求項１に記載の弾球遊技機において、
前記第１不正検出手段は、当該弾球遊技機に加えられた振動、磁気、電波の少なくとも一つを検出するものであることを特徴とする弾球遊技機。
【請求項３】
請求項１または２に記載の弾球遊技機において、
当該弾球遊技機が、ランプおよびスピーカを備えたものであり、
前記周辺基板が、少なくとも前記ランプおよびスピーカの制御を行なうサブ制御基板であり、前記第１不正判断手段により不正が発生したと判断されたときには、前記ランプおよびスピーカの少なくとも一方を用いた報知動作を行なう不正報知手段を備えたことを特徴とする弾球遊技機。
【請求項４】
遊技の結果に影響を及ぼす機能を有する主基板と、該主基板以外の基板であって、配線を相互に接続するための電子部品のみが装着されたもの以外の基板である周辺基板と、当該弾球遊技機に対して不正が行なわれたことを判断するための検知を行なう第１不正検出手段と、当該弾球遊技機の外部へ信号を送信するための信号線が接続される外部接続基板とを備えた弾球遊技機において、
前記主基板は、遊技の当否判定を行なう遊技制御手段と、前記周辺基板からの信号入力が可能な入力可能領域と、該入力可能領域からの信号入力が不可能であり、且つ前記遊技制御手段を有し、一方向通信回路により、前記周辺基板からの信号入力が不可能に構成された入力不能領域と、を備えたものであり、
前記周辺基板は、前記第１不正検出手段の検出結果を受信する検出結果受信部と、該検出結果受信部が受信した前記検出結果を前記主基板の入力可能領域に送信する検出結果送信部とを備えたものであり、
更に前記主基板は、前記入力可能領域に入力された前記検出結果送信部からの前記検出結果に基づき、不正が発生したか否かを判断する第１不正判断手段と、該不正判断手段の判断結果を前記外部接続基板に出力する不正信号出力部を備えたことを特徴とする弾球遊技機。
【発明の詳細な説明】
【技術分野】
【０００１】
本発明は、弾球遊技機に関するものであり、特に弾球遊技機に対して行なわれた不正行為を検出可能に構成された弾球遊技機に関する。
【背景技術】
【０００２】
パチンコ機のような弾球遊技機（以下、遊技機ともいう）において、不正防止は非常に重要な課題となっている。例えば、強力な磁石を用いて所望の入賞口に遊技球を誘導したり、球詰まりを発生する行為や、電波を用いて遊技球のセンサを誤検出させ、多量の遊技球を不正に獲得するといった行為が行なわれている。また、複数の入球口を供えたクルーンを用いて遊技球の振り分けを行なう機種等においては、遊技機を叩くなどして加えられた振動により、不正な当選を得るといったことも行なわれることがある。
【０００３】
そこで、遊技機に磁気検出スイッチ、電波検出スイッチ、振動検出スイッチ等のセンサを設け、異常な磁気などを検出した場合には、遊技機の備えるスピーカから警告音を発するなどして、不正行為の防止が図られている。前記センサにて検出された電気信号は、遊技機の備える主制御基板と呼ばれる回路基板に入力され、主制御基板のＣＰＵにて不正か否かが判定され、不正と判定された場合には、サブ制御基板と呼ばれるスピーカやランプなどの制御を行なう周辺基板にコマンドを発して、警告音を発するようにサブ制御基板を制御する。つまり主制御基板のＣＰＵは、その本来の処理である遊技の進行を制御する傍ら、不正検知を行なうことになる。
【０００４】
以上のことにより、主制御基板のＣＰＵは、遊技処理が制限を受けるといった事態もおきかねない状況である。
【０００５】
こうした課題を解決するために特許文献１のように、振動検出センサの信号をサブ制御基板（サブ統合装置）に入力することが考えられる。サブ制御基板のＣＰＵにて不正か否かを判定し、不正と判定された場合には、スピーカを制御して、警告音を発すると、主制御基板のＣＰＵの処理を軽減することが出来る。
【先行技術文献】
【特許文献】
【０００６】
【特許文献１】特開２００９−０３９４１８
【発明の概要】
【発明が解決しようとする課題】
【０００７】
ところで、遊技機が設置されている遊技場には、ホールコンピュータと呼ばれる管理装置が設置されており、これにて各遊技機の稼働状況（図柄の変動数、賞球の発生、大当り状態の発生など）が監視されている。遊技機は外部接続端子板と呼ばれる構成を備えており、これにてホールコンピュータに繋がる信号線と結線を行なう。前記のような不正行為が遊技機に発生した場合も、ホールコンピュータにて監視可能にしておくのが望ましい。しかしながら、サブ制御基板にて不正の発生を判定すると、主制御基板と外部接続端子板との接続に加えて、従来なかったサブ制御基板からホールコンピュータへ接続を行なう必要が生じ、組み立て時に新たな手間がかかることになる。また、遊技機を遊技場に設置する際に接続ミスが発生し、適切に遊技場の監視が行えなくなる可能性もある。なお、ホールコンピュータ以外の管理装置で監視をすることも想定できるが、その場合も同様の課題が発生する。
本発明は係る課題に鑑みなされたものであり、不正の発生を、遊技を司るＣＰＵの処理負担の増大を抑えつつ判定し、構築の容易な弾球遊技機を提供することを目的とする。
【課題を解決するための手段】
【０００８】
上記課題を解決するためになされた請求項１記載の本発明は、遊技の結果に影響を及ぼす機能を有する主基板と、該主基板以外の基板であって、配線を相互に接続するための電子部品のみが装着されたもの以外の基板である周辺基板と、当該弾球遊技機に対して不正が行なわれたことを判断するための検知を行なう第１不正検出手段と、当該弾球遊技機の外部へ信号を送信するための信号線が接続される外部接続基板とを備えた弾球遊技機において、記主基板は、前記周辺基板からの信号入力が可能な入力可能領域と、該入力可能領域からの信号入力が不可能であり、且つ一方向通信回路により前記周辺基板からの信号入力が不可能に構成された入力不能領域とを備えたものであり、前記周辺基板は、前記第１不正検出手段の検出結果に基づき、前記不正が発生したか否かを判断する第１不正判断手段と、該不正判断手段の判断結果を前記主基板の入力可能領域に送信する第１不正信号送信手段とを備えたものであり、更に前記主基板は、前記入力可能領域に入力された第１不正信号送信手段からの信号を、前記外部接続基板に出力する不正信号出力部を備え、前記外部接続基板が、当該弾球遊技機に併設され、当該弾球遊技機で用いられる遊技球の貸出代金を受け入れる台間機に信号を送信するための台間機端子板であり、前記主基板が、前記台間機端子板と信号を送受信することにより、遊技球を遊技者に払い出す制御を行なう払出制御基板であることを特徴とする。
【０００９】
本発明の参考例１では、前記主基板が、遊技の当否判定を行なう遊技制御手段を前記入力不能領域に備えた主制御基板であり、前記外部接続基板が、当該弾球遊技機が設置される遊技場を管理するホールコンピュータに信号を送信するための外部接続端子板であることを特徴とする。
【００１１】
本発明の参考例２では、当該弾球遊技機が、当該弾球遊技機に加えられた振動、磁気、電波の少なくとも一つを検出する第２不正検出手段と、扉状に構成され遊技盤を覆う前枠と、少なくとも前記遊技制御手段を保持する内枠とを備え、当該弾球遊技機の外形を成す外枠に対して前記内枠が開閉可能に構成されたものであって、前記第１不正検出手段が、前記前枠が開放されたこと及び前記内枠が開放されたことの少なくとも一方を検出するものであり、前記遊技制御手段が、前記第２不正検出手段の検出結果に基づき、不正が発生したか否かを判断する第２不正判断手段と、該第２不正判断手段の判断結果を前記外部接続基板に送信する第２不正信号送信手段とを備えたことを特徴とする。
【００１２】
本発明の参考例３は、参考例２の弾球遊技機において、第２不正判断手段により不正が発生したと判断された場合に、遊技の進行を停止させる遊技制限手段を前記遊技制御手段が備えたことを特徴とする。
請求項２に記載の本発明は、請求項１に記載の弾球遊技機において、前記第１不正検出手段は、当該弾球遊技機に加えられた振動、磁気、電波の少なくとも一つを検出するものであるにことを特徴とする。
【００１３】
請求項３に記載の本発明は、請求項１または２に記載の弾球遊技機において、当該弾球遊技機が、ランプおよびスピーカを備えたものであり、前記周辺基板が、少なくとも前記ランプおよびスピーカの制御を行なうサブ制御基板であり、前記第１不正判断手段により不正が発生したと判断されたときには、前記ランプおよびスピーカの少なくとも一方を用いた報知動作を行なう不正報知手段を備えたことを特徴とする。
【００１４】
請求項４に記載の本発明は、遊技の結果に影響を及ぼす機能を有する主基板と、該主基板以外の基板であって、配線を相互に接続するための電子部品のみが装着されたもの以外の基板である周辺基板と、当該弾球遊技機に対して不正が行なわれたことを判断するための検知を行なう第１不正検出手段と、当該弾球遊技機の外部へ信号を送信するための信号線が接続される外部接続基板とを備えた弾球遊技機において、前記主基板は、遊技の当否判定を行なう遊技制御手段と、前記周辺基板からの信号入力が可能な入力可能領域と、該入力可能領域からの信号入力が不可能であり、且つ前記遊技制御手段を有し、一方向通信回路により、前記周辺基板からの信号入力が不可能に構成された入力不能領域と、を備えたものであり、前記周辺基板は、前記第１不正検出手段の検出結果を受信する検出結果受信部と、該検出結果受信部が受信した前記検出結果を前記主基板の入力可能領域に送信する検出結果送信部とを備えたものであり、更に前記主基板は、前記入力可能領域に入力された前記検出結果送信部からの前記検出結果に基づき、不正が発生したか否かを判断する第１不正判断手段と、該不正判断手段の判断結果を前記外部接続基板に出力する不正信号出力部を備えたことを特徴とする。
【発明の効果】
【００１５】
請求項１に記載の遊技機の各構成の電気的接続の一例としては、第１不正検出手段から周辺基板へと接続され、周辺基板から主基板の入力可能領域へと接続され、この入力可能領域から外部接続基板へと接続された態様を挙げることができる。このような遊技機によれば、第１不正検出手段の検出結果に基づく、不正が発生したか否かの判断を、周辺基板が備える第１不正判断手段が行なうので、主基板の処理負担が増大することはない。しかも、第１不正判断手段による判断結果は、第１不正信号送信手段により主基板に送信された後、主基板の備える不正信号出力部から外部接続基板に出力されるため、周辺基板と外部接続基板を接続する必要が無い。従って組み立て時に新たな手間がかかることがない。
なお、通常、周辺基板から主基板への信号の入力は禁止されているが、本発明の遊技機では主基板を、周辺基板からの信号入力が可能な入力可能領域と、周辺基板からの信号入力ができない入力不能領域とに分け、周辺基板から入力可能領域に送られる信号は、不正を主基板の外部に出力するための信号のみである。そして主基板の遊技の進行に係る処理を入力不能領域で行なうので、遊技の処理自体に影響を与える不正行為を防ぐことが出来る。
【００１６】
参考例１の遊技機では、主基板が遊技の当否判定を行なう遊技制御手段を入力不能領域に備えた主制御基板となっており、外部接続基板が、ホールコンピュータに信号を送信するための外部接続端子板となっている。このようにすると、周辺基板から送信される不正か否かの判断結果は、外部接続端子板を介してホールコンピュータに送信することができる。
【００１７】
なお、請求項１に記載の遊技機によれば、主基板が払出制御基板となっており、外部接続基板が、台間機端子板となっている。台間機は、遊技機で用いられる遊技球の貸出代金を受け入れるものであり、払出制御基板と信号を送受信することにより遊技者に遊技球を貸し出す場合に稼働する。このようにすると、周辺基板から送信される不正か否かの判断結果は、払出制御基板の入力可能領域を介して台間機に送信することができる。そしてこれにより、前記判断結果が、払出制御基板の入力不能領域で行なわれる球の貸し出し動作に影響を与えることはない。また、送信先は台間機であるため、ホールコンピュータの処理負担の増加を抑えることも可能となっている。
【００１８】
参考例２の遊技機では、当該遊技機に加えられた振動、磁気、電波の少なくとも一つを検出する第２不正検出手段を備えており、これによる検出結果に基づき、遊技制御手段の備える第２不正判断手段が不正が発生したか否かを判断する。この判断の結果は第２不正信号送信手段により外部接続基板に出力されるので、ホールコンピュータにより不正の発生を監視することができる。
なお、こうすると、遊技制御手段の処理負担の増大が懸念されるが、従来、遊技制御手段により行なわれていた、前枠の開放および内枠の開放を、周辺基板の第１不正判断手段が判定し、第１不正信号送信手段が送信するので、遊技制御手段の処理負担の増大は抑えることが出来る。
【００１９】
参考例３の遊技機によれば、第２不正判断手段により不正が発生したと判断された場合には、遊技制御手段の備える遊技制限手段が、遊技の進行を停止させる。このため、不正が発生しても、遊技場の係員が現場に到着する以前に、遊技の進行（例えば賞球の払出、図柄の変動、遊技球の発射など）を停止できるので、被害が拡大するのを防止することができる。
請求項２に記載の遊技機によれば、第１不正検出手段が、当該遊技機に加えられた振動、磁気、電波の少なくとも一つを検出するので、不正行為が発生している可能性が高いこれらの事象を有効に検知することができる。
【００２０】
請求項３に記載の遊技機では、周辺基板がサブ制御基板となっており、不正が発生したと判断された場合にはランプおよびスピーカの少なくとも一方を用いて報知動作を行なう。このため不正行為を行なった者を威嚇して被害が発生するのを防止する効果を期待できる。
【００２１】
請求項４に記載の遊技機によれば、第１不正検出手段の検出結果に基づく、不正が発生したか否かの判断を、主基板の入力可能領域の第１不正判断手段が行なうので、主基板の本来の処理である入力不能領域に設けられた遊技制御手段の処理負担が増大することはない。しかも、第１不正判断手段による判断結果は、不正信号送信部から外部接続基板に出力されるため、周辺基板と外部接続基板を接続する必要が無い。従って組み立て時に新たな手間がかかることがない。
【図面の簡単な説明】
【００２２】
【図１】パチンコ遊技機５０の正面図
【図２】遊技盤１の正面図
【図３】パチンコ遊技機５０の裏面図
【図４】パチンコ遊技機５０の電気的構成を示すブロック図
【図５】本発明の不正検知システムの概要を示すブロック図
【図６】主制御基板およびサブ制御基板に入力される主な信号の流れを示す説明図１
【図７】外部端子板の説明図
【図８】サブ統合制御基板のＣＰＵが実行する不正検出処理のフローチャート
【図９】サブ統合制御基板のＣＰＵが実行する振動判定処理のフローチャート
【図１０】サブ統合制御基板のＣＰＵが実行する磁気判定処理のフローチャート
【図１１】サブ統合制御基板のＣＰＵが実行する電波判定処理のフローチャート
【図１２】本発明の不正検知システムの概要を示すブロック図
【図１３】主制御基板およびサブ制御基板に入力される主な信号の流れを示す説明図２
【図１４】外部端子板の説明図
【図１５】主制御基板およびサブ制御基板に入力される主な信号の流れを示す説明図３
【図１６】主制御基板およびサブ制御基板に入力される主な信号の流れを示す説明図４
【図１７】主制御基板およびサブ制御基板に入力される主な信号の流れを示す説明図５
【図１８】主制御基板およびサブ制御基板に入力される主な信号の流れを示す説明図６
【図１９】主制御基板の第２ＣＰＵが実行する振動判定処理のフローチャート
【図２０】主制御基板の第２ＣＰＵが実行する磁気判定処理のフローチャート
【図２１】主制御基板の第２ＣＰＵが実行する電波判定処理のフローチャート
【図２２】主制御基板およびサブ制御基板に入力される主な信号の流れを示す説明図７
【図２３】主制御基板およびサブ制御基板に入力される主な信号の流れを示す説明図８
【図２４】主制御基板およびサブ制御基板に入力される主な信号の流れを示す説明図９
【図２５】本発明の不正検知システムの概要を示すブロック図
【図２６】主制御基板およびサブ制御基板に入力される主な信号の流れを示す説明図１０
【図２７】サブ統合制御基板のＣＰＵが実行する不正検出処理のフローチャート
【図２８】サブ統合制御基板のＣＰＵが実行する枠開放処理のフローチャート
【図２９】サブ統合制御基板のＣＰＵが実行する枠情報出力処理のフローチャート
【図３０】主制御基板およびサブ制御基板に入力される主な信号の流れを示す説明図１１
【図３１】主制御基板およびサブ制御基板に入力される主な信号の流れを示す説明図１２
【図３２】主制御基板およびサブ制御基板に入力される主な信号の流れを示す説明図１３
【図３３】主制御基板およびサブ制御基板に入力される主な信号の流れを示す説明図１４
【図３４】主制御基板およびサブ制御基板に入力される主な信号の流れを示す説明図１５
【図３５】主制御基板およびサブ制御基板に入力される主な信号の流れを示す説明図１６
【図３６】主制御基板およびサブ制御基板に入力される主な信号の流れを示す説明図１７
【図３７】主制御基板およびサブ制御基板に入力される主な信号の流れを示す説明図１８
【図３８】主制御基板およびサブ制御基板に入力される主な信号の流れを示す説明図１９
【図３９】主制御基板の第２ＣＰＵが実行する不正情報出力処理のフローチャート
【発明を実施するための形態】
【００２３】
以下に本発明の好適な実施形態について説明する。尚、本発明の実施の形態は下記の実施例に何ら限定されるものではなく、本発明の技術的範囲に属する種々の形態を採ることができ、各実施例に記載された内容を適宜組み合わせることが可能なことはいうまでもない。
［第１参考例］
【００２４】
図１は本パチンコ遊技機の正面図を示す。図１に示すように、パチンコ機５０は、縦長の固定外郭保持枠をなす外枠５１にて構成の各部を保持する構造としてある。外枠５１には、左側の上下の位置に設けたヒンジ５３を介して、前枠５２および後述の内枠（図３の７０）が開閉可能に設けてある。
前枠５２には板ガラス６１が取り外し自在に設けてあり、板ガラス６１の奥には上記内枠に保持された遊技盤１（図２）が設けてある。
【００２５】
前枠５２の上部の左右両側位置および外枠５１の下部の左右両側位置にはそれぞれスピーカ６６が設置してあり、これらにより遊技音が出力され、遊技者の趣向性を向上させる。また前枠５２には遊技状態に応じて発光する枠側装飾ランプ６５のほか、遊技の異常を報知するＬＥＤ類が設けてある。
前枠５２の下半部には上皿５５と下皿６３とが一体に形成してある。下皿６３の右側には発射ハンドル６４が設けてあり、発射ハンドル６４を時計回りに操作することにより発射装置（後述）が作動して、上皿５５から供給された遊技球が遊技盤１に向けて発射される。
【００２６】
下皿６３は上皿５５から溢れた賞球を受ける構成で、球抜きレバーの操作により下皿６３に溜まった遊技球を遊技店に備えられた別箱(ドル箱)に移すことができる。下皿６３の左側には、遊技者が操作可能な演出ボタン６７が設けてあり、遊技者が所定の期間中に演出ボタン６７を操作することで、演出表示の内容や遊技音を変化させる構成としている。
【００２７】
本パチンコ機５０はいわゆるＣＲ機であって、プリペイドカードの読み書きを行うプリペイドカードユニット(ＣＲユニット)５６が付属しており、パチンコ機５０には下皿６３の左側に貸出ボタン５７、精算ボタン５８および残高表示器５９が設けてある。
なお、図１の３９は、前枠５２および上記内枠を外枠５１にロックするシリンダ錠であり、該シリンダ錠３９に所定の鍵を挿入し、鍵を時計回りに操作して上記内枠を開放するようになし、反時計まわりの操作により前枠５２を開放する。
【００２８】
図２に示すように、遊技盤１には、外ガイドレール２ａおよび内ガイドレール，２ｂによって囲まれた略円形の遊技領域３が設けてある。遊技領域３には左上に位置する外ガイドレール２ａと内ガイドレール２ｂ末端との間の発射口から遊技球が遊技領域３へ発射される。遊技領域３には多数の遊技釘が打ち付けてある。
【００２９】
遊技領域３の中央には大型のセンタケース５が設置してある。センタケース５は公知のものと同様に、ワープ入口、ワープ樋、ステージ、演出図柄表示装置６（液晶表示装置であり擬似図柄を表示する）の表示画面６ａを臨ませる窓５ａなどが設けてある。
遊技領域３にはセンタケース５の下方位置に、常時入球可能の第１の始動口１１と第２の始動口１２が設けてある。第１の始動口１１は、遊技球が入球すると、第１の特別図柄の抽選(当否判定)を行うものである。第１の始動口１１の下方には電動の開閉板により開閉可能の第１の大入賞口１４が設けてある。第１の大入賞口１４の左右両側には複数の入賞口３１，３２，３３，３４が設けてある。
【００３０】
そしてセンタケース５の左側の領域には、普通図柄ゲート１７が設けてある。遊技球が普通図柄ゲート１７を通過することにより実行される普通図柄抽選が当りの時に、第２の始動口１２の備える翼片が開放し、入球が可能となる。つまり第２の始動口１２は、普通電動役物として構成されている。第２の始動口１２は、遊技球が入球すると、第２の特別図柄の抽選(当否判定)を行うものである。
遊技領域３の左側には、上記普通図柄、第１の特別図柄、第２の特別図柄をそれぞれ表示する図柄表示装置７，９，１０や、普通図柄、第１の特別図柄、第２の特別図柄の保留記憶を表示する保留数表示装置８，１８，１９が設置してある。
【００３１】
図２に示すように、遊技領域３には、上記発射口に近いセンタケース５の左側上部に、電動の開閉板により開閉可能の第２の大入賞口１５が設けてある。またセンタケース５にはその右側には特定入球口１０７を備えた入賞装置４が設けてある。第２の大入賞口１５と入賞装置４とは、センタケース５の背面側に形成されたワープ通路により連結してあり、第２の大入賞口１５に入球した遊技球は入賞装置４へ送られる。
【００３２】
入賞装置４にはその上部に、ワープ出口からの遊技球を受けるすり鉢状の振分け体が設けてある。振分け体は３つの貫通穴が設けてあり、左右の貫通穴を通過した遊技球は、はずれ穴へ振分けられる。中央の貫通穴を通過した遊技球は、振分け口から特定入球口１０７へ向けて振分けられる。
特定入球口１０７には振分け羽が設けてあり、振分け羽は第２の大入賞口１５の開放時に所定の時間開放するように構成してある。そして、振分け羽の開放時に振分け口から流下した遊技球は特定入球口１０７を通過して当り穴へ取り込まれる。振分け羽の閉鎖時に流下した遊技球は左右のはずれ穴へ取り込まれる。
【００３３】
図３に示すように、パチンコ機５０の裏側は、遊技盤１を脱着可能に取付ける内枠７０が外枠５１に上下のヒンジにより開閉可能に収納されている。内枠７０には、遊技球流下通路が形成されており、上方(上流)から球タンク７１、タンクレール７２、払出ユニット７３が設けられ、払出ユニット７３の中には払出装置が設けられている。この構成により、遊技盤１の入賞口に遊技球が入球すれば球タンク７１からタンクレール７２を介して所定個数の遊技球（賞球）が払出装置７３により払出球流下通路を通り上記上皿５５に払い出される。また、本実施形態では上記賞球を払い出す払出装置７３により貸出ボタンの操作で払い出される貸球も払い出す構成としてある。
【００３４】
また、パチンコ機５０の裏側には、主制御基板８０、払出制御基板８１、演出図柄制御装置８２、サブ統合制御基板８３、発射制御装置８４、電源基板８５が設けられている。これらの内、遊技の結果に影響を及ぼす機能を有する主制御基板８０、払出制御基板８１は主基板と呼ばれるグループに属し、演出図柄制御装置８２、サブ統合制御基板８３は周辺基板と呼ばれるグループに属する。周辺基板とは、主基板以外の基板であって、配線を相互に接続するための電子部品のみが装着されたもの以外の基板であり、主基板から送信されたコマンドを直接的または間接的に受信することにより制御される。
主制御基板８０、演出図柄制御装置８２、サブ統合制御基板８３は遊技盤１に設けられ、払出制御基板８１、発射制御装置８４、電源基板８５は内枠７０に設けられている。図３では発射制御装置８４が描かれていないが、払出制御基板８１の下に設けてある。
【００３５】
また、球タンク７１の右側には、外部接続端子板７８が設けてあり、外部接続端子板７８により、遊技状態や遊技結果を示す信号が図示しないホールコンピュータへ送られる。なお、従来はホールコンピュータへ信号を送信するための外部接続端子板には、盤用(遊技盤側から出力される信号をホールコンピュータへ出力するための端子)と枠用（枠側（前枠５２、内枠７０、外枠５１）から出力される信号をホールコンピュータへ出力するための端子）の２種類を用いているが、本実施形態では、ひとつの外部接続端子板７８を介して遊技状態や遊技結果を示す信号をホールコンピュータへ送信する。
【００３６】
図４は本パチンコ機５０の電気的構成を示すもので、主制御基板８０、払出制御基板８１、演出図柄制御装置８２、サブ統合制御基板８３および発射制御装置８４においては、詳細の図示は省略するが、これらの制御装置はいずれもＣＰＵ、ＲＯＭ、ＲＡＭ、入力ポート、出力ポート等を備えている。また、主制御基板８０には各種乱数を抽出する乱数カウンタ等も備わっている。
【００３７】
主制御基板８０は、裏配線中継端子板７５および外部接続端子板７８を介して遊技場のホールコンピュータ８７と電気的に接続される。主制御基板８０には、遊技盤中継端子板７４や裏配線中継端子板７５を介して、前枠５２や内枠７０が閉じていることを検出するガラス枠開放ＳＷ(スイッチ)１６ａ、内枠開放ＳＷ１６ｂ、第１、第２の始動口１１，１２への入球を検出する第１、第２始動口ＳＷ１１ａ，１２ａ、遊技球がゲート１７を通過したことを検出する普通図柄作動ＳＷ１７ａ、第１、第２の大入賞口１４、１５への入賞球をそれぞれ検出する第１、第２カウントＳＷ１４ａ，１５ａ、入賞口３１〜３４への入賞球を検出する左、右入賞口ＳＷ３１ａ，３３ａ、および特定入球口１０７への入球を検出する特定入球口ＳＷ１０７ａ等の検出信号が入力される。
【００３８】
また主制御基板８０は、搭載しているプログラムに従って動作して、上述の検出信号などに基づいて遊技の進行に関わる各種のコマンドを生成し、払出制御基板８１や、サブ統合制御基板８３にコマンドを出力し、図柄表示装置中継端子板９０を介して第１特図、第２特図表示装置９，１０、第１特図、第２特図保留数表示装置１８，１９、普通図柄表示装置７、普図保留数表示装置８の表示制御を行なう。
主制御基板８０は、第１、第２の大入賞口１４，１５の開閉板を駆動する第１、第２大入賞口ソレノイド１４ｂ，１５ｂを制御して第１、第２の大入賞口１４，１５を開放作動せしめる。また第２の始動口１２を開閉する普通電動役物ソレノイド１２ｂの作動を制御する。なお、本発明の主制御基板８０は、サブ統合制御基板８３からの信号入力が不可能な入力不能領域と、サブ統合制御基板８３からの信号入力が可能な入力可能領域とに分けられている。前述のコマンドの生成および制御など遊技に直接関係する様々な処理を行なうＣＰＵは、入力不能領域に実装され、サブ統合制御基板８３から遊技に影響を与える信号を受信しないように構成されている。
【００３９】
払出制御基板８１は、裏配線中継端子板７５や払出中継端子板７６を介して、球タンク７１が空状態になったことを検出する球切れＳＷ２３、遊技球が払い出されたことを検出する払出ＳＷ２１、遊技球貯留皿が満杯状態になったことを検出する満杯ＳＷ２２などの検出信号が入力される。また払出制御基板８１は主制御基板８０から送られてくるコマンドに応じて払出モータ２０を稼働させて遊技球を払い出させる。更に、払出制御基板８１はＣＲユニット端子板２４を介してＣＲユニット５６と電気的に接続され、精算表示装置２５を介して球貸ＳＷ５７および精算ＳＷ５８による貸出要求、精算要求の操作信号を受け付け、ＣＲユニット５６とデータを送受し、貸出要求信号に応じて払出モータ２０を稼働させて貸球を払い出させ、ＣＲユニット５６に挿入されているプリペイドカードの残高表示を制御する。
【００４０】
発射制御装置８４は、発射停止ＳＷ２９、発射ハンドルに遊技者が接触（操作）していることを検出するタッチＳＷ２８などの検出信号が入力される。払出制御基板８１を介して主制御基板８０から送られてくるコマンド（タッチＳＷの信号や遊技状況を反映している）、発射ハンドルの回動信号および発射停止ＳＷの信号に基づいて発射モータ３０を制御して遊技球を発射および停止させ、タッチランプの点灯を制御する。
【００４１】
サブ統合制御基板（サブ制御基板ともいう）８３は、音量調節ＳＷ８３ａや演出ボタン６７、振動検出ＳＷ１１０、磁気検出ＳＷ１１１、電波検出ＳＷ１１２などの検出信号が入力される。なお、振動検出ＳＷは、パチンコ機５０に振動を加えられたことを検出する公知の振動検知センサであり、上皿５５の内部に設けられている。磁気検出ＳＷ１１１は、パチンコ機５０に磁石が接近したことを検出する公知の磁気センサであり、遊技盤１の裏側に設置されている。電波検出ＳＷ１１２は、パチンコ機５０に大して異常な電波が発信されたことを検出する公知のアンテナであり、遊技盤１の裏側に設置されている。
【００４２】
サブ統合制御基板８３は、主制御基板８０から送られてくるコマンドに応じて、スピーカ６６を駆動して音声を出力することや、各種ＬＥＤや各種ランプ２６の点灯、消灯等を制御する。更に演出図柄制御装置８２へキャラクタなどを表示する演出図柄や特図の擬似図柄の表示態様のコマンドを送信する。特に、本発明のパチンコ機５０では、サブ統合制御基板８３は主制御基板８０のに対して信号を送信可能に構成されている。この信号の送信対象は、主制御基板８０の入力可能領域に入力される。
【００４３】
演出図柄制御装置８２は、ＬＣＤパネルユニットや付属ユニットと共に演出図柄表示装置６を構成している。上記ＬＣＤパネルはＬＣＤパネルユニットの一部である。演出図柄制御装置８２は、サブ統合制御基板８３から送られてくるコマンドに応じてＬＣＤパネルの表示を制御する。
【００４４】
次にパチンコ機５０の作動を説明する。
本パチンコ機５０は、第１の始動口１１への入球に起因して各種の乱数が抽出され、これらの乱数を第１の特別図柄(以下、単に第１特図という)の保留記憶として記憶し、第１特図の保留記憶に基づいて第１特図の当否判定を行う。これと同様に、第２の始動口１２への入球時には、これに起因して各種の乱数が抽出され、これらの乱数を第２の特別図柄(以下、単に第２特図という)の保留記憶として記憶し、第２特図の保留記憶に基づいて第２特図の当否判定を行う。第１または第２特図の判定結果は第１特図または第２特図表示装置９，１０に大当たり図柄、小当たり図柄、はずれ図柄を表示するとともに、演出図柄表示装置６に特図の擬似図柄を表示して遊技者に報知する。
【００４５】
第１または第２特図の判定結果が大当りであれば、第１の大入賞口１４を開放する大当り遊技に移行する。判定結果が小当りであれば、第２の大入賞口１５を開放する小当り遊技に移行する。更に小当りにより第２の大入賞口１５に遊技球が入球して入賞装置４の特定領域たるＶゾーンに入球すると、大当りとなって第１の大入賞口１４を開放する大当り遊技に移行するように構成してある。このように本パチンコ機５０は第１種と第２種の機能を備えた複合機である。
【００４６】
本パチンコ機５０は、大当りとなる確率は、第１特図も第２特図も同じで１／１００に設定してある。小当りとなる確率は、第１特図を１／３００に設定する一方、第２特図を１／５として第２特図の方が高く設定してある。
また本パチンコ機５０は、第１特図、第２特図のいずれも、大当りとなり、大当りとなった特図が予め設定された図柄であると、大当り遊技終了後の遊技状態を時短状態に設定する構成である（時短機能）。該時短機能は、図柄の変動時間を短縮させるとともに、普通図柄の当り確率を高確率に変動させ、更に開放延長状態設定手段により、時短状態の時に第２の始動口１２の普通電動役物の開放時間を延長させる開放延長機能が付与される。時短機能の突入率は２０％で、継続率は１００％に設定してある。
【００４７】
時短機能は、特図の当否判定が１００回実行されるまで継続され、または遊技状態規制手段により大当りが５回(時短リミッタ)発生すると終了するように構成してある。その他、賞球、大入賞口のラウンド回数、大入賞口の開放時間、規定入賞数、普通図柄の当り確率、普通電動役物の開放時間等も適切に設定されている。
【００４８】
図４から、本発明の不正検知システムにおいて特に重要な構成を取り出したものが図５である。なお、遊技盤中継端子板７４、裏配線中継端子板７５については省略した。パチンコ機５０に設けられている、不正を検出するために用いられるセンサ（スイッチ）の内、ガラス枠開放ＳＷ１６ａおよび内枠開放ＳＷ１６ｂについては主制御基板８０に接続され、振動検出ＳＷ１１０，磁気検出ＳＷ１１１，電波検出ＳＷ１１２についてはサブ統合制御基板８３に接続されている。サブ統合制御基板８３はこれらの検出結果から各不正情報を示す信号を生成して主制御基板８０に送信する。主制御基板８０は、ガラス枠開放ＳＷ１６ａおよび内枠開放ＳＷ１６ｂの検出結果に基づいて、内枠・ガラス枠開放を示す信号を生成して外部接続端子板７８に出力する。また、主制御基板８０は、サブ統合制御基板８３から受信した各不正情報を外部接続端子板７８に出力する。なお、主制御基板８０には始動口ＳＷ１１ａ，１１ｂによる検出結果および払出ＳＷ２１による検出結果も入力されており、これらに基づいて、それぞれ始動口１信号、および賞球信号を生成して外部接続端子板７８に出力する。そして更に、主制御基板８０は、自らの処理結果に基づき、図柄確定回数、大当り１、大当り２、及び大当り３の各信号（詳しくは後述）を生成して外部接続端子板７８に出力する。
【００４９】
図５に示した各構成の信号の流れを示したのが図６である。払出ＳＷ２１による検出結果は主制御基板８０の第１入力端子２０１から主制御基板８０に入力され、主制御基板８０のＣＰＵ２０２により賞球数が算出され、主制御基板８０の第１出力端子２０３から外部接続端子板７８へと出力される。始動口ＳＷ１１ａ，１２ａによる検出結果、ガラス枠開放ＳＷ１６ａによる検出結果、及び内枠開放ＳＷ１６ｂによる検出結果は、ほぼそのまま第１出力端子２０３から出力される。この他、第１出力端子２０３からはＣＰＵ２０２にて行なわれた遊技の処理の結果、生成された大当り１、大当り２、及び大当り３の各信号や、特別図柄の変動回数が出力される。
【００５０】
前述した、主制御基板８０からサブ統合制御基板８３に対するコマンドは、第２出力端子２０４から出力される。サブ統合制御基板８３は、コマンドを第１入力端子３０１を介して受信し、ＣＰＵ３０２にてコマンドに従って処理を実行し、演出図柄表示装置６やスピーカ６６（図４参照）の制御などを行なう。またＣＰＵ３０２は、振動検出ＳＷ１１０、磁気検出ＳＷ１１１、電波検出ＳＷ１１２から各検出結果を第２入力端子３０３を介して受信し、これらに基づいて各不正情報の信号を生成し、サブ統合制御基板８３の出力端子３０４から出力する。
【００５１】
サブ統合制御基板８３の出力端子３０４から出力された各不正情報の信号は、主制御基板８０の第２入力端子２０５に入力され、そのまま主制御基板８０の第３出力端子２０６から出力される。なお、主制御基板８０は、サブ統合制御基板８３からの入力を受け付けない入力不能領域と、サブ統合制御基板８３からの入力を受け入れる入力可能領域とに分かれている。このために主制御基板８０の第２出力端子２０４とサブ統合制御基板８３の第１入力端子３０１は、一方向通信により接続されており、このために主制御基板８０にインバータ、ラッチ回路等の一方向通信回路を備えている。なお、この一方向通信回路はサブ統合制御基板８３が備えるように構成しなおしてもよい。第２入力端子２０５および第３出力端子２０６は、入力可能領域に属しており、主制御基板８０の前記したその他の構成は入力不能領域に属している。また入力可能領域から入力不能領域には、信号が入力されない構成となっている。
【００５２】
主制御基板８０の第３出力端子２０６から出力された各不正情報の信号は、外部接続端子板７８の第２入力端子４０２に入力され、外部接続端子板７８の出力端子４０３からホールコンピュータ８７へと出力される。なお、主制御基板８０の第１出力端子２０３から出力された信号は、外部接続端子板７８の第１入力端子４０１に入力され、出力端子４０３からホールコンピュータ８７へと出力される。そして主制御基板８０の第１出力端子２０３および外部接続端子板７８の第１入力端子４０１の接続は、第１出力端子２０３から第１入力端子４０１へ向かう一方向通信となっている。また、外部接続端子板７８において、第１入力端子４０１と出力端子４０３の接続は、第１入力端子４０１から出力端子４０３へ向かう一方向通信となっている。
【００５３】
本参考例の外部接続端子板７８について説明する。図７は、本参考例の構成での外部への出力される信号のコネクタのピンの位置と、基板上の配置である。基板上にはホールコンピュータと電気的接続を行うためのホールコンピュータ接続用コネクタ（出力端子４０３）と主制御基板８０と電気的接続を行うための遊技機接続用コネクタ（第１入力端子４０１、第２入力端子４０２）が設けられている。それ以外にはフォトカプラと抵抗器が配置されている。
【００５４】
ピン１とピン１１に割り振られているのは賞球信号である。賞球信号とは、遊技機が払い出した賞球数をホールコンピュータ８７へ出力するために使用する。払出スイッチ２１が１０個の遊技球の通過を検出する毎に０．１２８秒間オンする。ただし、払出スイッチ２１が１０個の獲得遊技球数の通過を連続して検出した場合は、０．１２８秒間オン後に、０．１２８秒間オフし、その後０．１２８秒間オンするように構成している。
【００５５】
ピン２とピン１２に割り振られているのは内枠・ガラス枠開放信号である。内枠・ガラス枠開放信号とは、遊技機の内枠７０または前枠５２（ガラス枠ともいう。また内枠７０、前枠５２を併せて単に枠とも言う）が開放状態であることをホールコンピュータ８７へ出力するために使用する。内枠開放スイッチ１９または前枠開放スイッチ１８がオン状態の間は内枠・前枠開放信号が出力される。また、内枠と前枠の開放信号を各々設けることも考えられる。この構成にすれば、内枠と前枠どちらが開放しているのかが把握することができ、より詳細な遊技機の状態を把握することができる。
【００５６】
ピン３とピン１３に割り振られているのは振動不正情報信号である。本参考例では、振動検出ＳＷ１１０による検出結果に基づいて不正が発生した可能性が強いと判定された場合にホールコンピュータ８７に送信される信号となっている。ピン４とピン１４に割り振られているのは磁気不正情報信号である。本参考例では、磁気検出ＳＷ１１１による検出結果に基づいて不正が発生した可能性が強いと判定された場合にホールコンピュータ８７に送信される信号となっている。ピン５とピン１５に割り振られているのは電波不正情報信号である。本参考例では、電波検出ＳＷ１１２による検出結果に基づいて不正が発生した可能性が強いと判定された場合にホールコンピュータ８７に送信される信号となっている。
【００５７】
ピン６とピン１６に割り振られているのは始動口１信号である。始動口１信号とは、第１始動口１１、第２始動口１２に遊技球が入賞したことをホールコンピュータへ出力するために使用する。始動口１信号は、第１始動口スイッチ１１ａ、第２始動口スイッチ１２ａが遊技球の通過をする毎に０．１００秒間オンされるが、第1始動口スイッチ１１ａが遊技球の通過を連続して検出した場合は、０．１００秒間オン後に、０．１００秒間オフし、その後０．１００秒間オンする構成となっている。
【００５８】
ピン７とピン１７に割り振られているのは図柄確定回数信号である。図柄確定回数信号とは、特別図柄の変動回数をホールコンピュータ８７へ出力するために使用する。この信号は、特別図柄の変動停止から０．６００秒間オンする。
【００５９】
ピン８とピン１８に割り振られているのは大当り１信号である。大当り１信号とは、大入賞口１４が作動（開放）していることをホールコンピュータ８７へ出力するために使用する。大入賞口１４が作動していることは大当り遊技中であることを示すためである。「小当り」の場合は大当り１信号は出力されない。
【００６０】
ピン９とピン１９に割り振られているのは大当り２信号である。大当り２信号は、大入賞口１４の作動および、変動時間短縮機能の作動中であることをホールコンピュータ８７へ出力するために使用する。
変動時間短縮機能とは、特別図柄の平均変動時間を短縮する機能で、平均変動時間を短縮することにより、次回の大当りを取得する時間的期間が短くなるという遊技者に有利な機能である。一般的には普通電動役物（第２始動口）１２の開放時間が通常時よりも長くなる（または開放回数が増える）開放延長機能とともに作動することが多い。
【００６１】
ピン１０とピン２０に割り振られているのは大当り３信号である。大当り３信号とは、大入賞口１４が作動（開放）していることをホールコンピュータ８７へ出力するために使用する。大当り１信号との違いは、「小当り」の場合も出力される点である。
【００６２】
図８に、サブ制御基板８３のＣＰＵ３０２が実行する不正検出処理の概要を示す。本処理が起動されると、まずＳ５にて振動判定処理を行なう。次にＳ１０にて磁気判定処理を行なう。続いてＳ１５にて電波判定処理を行なうと、本処理を終了（リターン）する。
【００６３】
Ｓ５の振動判定処理の概要は図９に示すフローチャートのようになっている。本処理が起動されると、振動フラグが０か否かを判定する（Ｓ１００）。振動フラグとは現在、パチンコ機５０に異常な振動が発生していることを示すフラグである。振動フラグが０であれば（Ｓ１００：ｙｅｓ）、Ｓ１０５にて振動を検出したか否かを判定する。検出していなければ（Ｓ１０５：ｎｏ）そのまま本処理を終了する。つまり、Ｓ１０５では、振動が発生していない状態から発生した状態に変化したか否かを判定していることになる。振動を検出した場合（Ｓ１０５：ｙｅｓ）は、振動報知処理を行い（Ｓ１１０）、振動フラグを１にし（Ｓ１１５）、不正タイマＡの値を設定し（Ｓ１２０）、振動不正情報を主制御基板８０に出力（Ｓ１２３）すると本処理を終了する。なお、振動報知処理とは、スピーカ６６から、振動の検出に対応した警報音として予め設定されている音を出力する処理で、不正タイマＡは、その警報音を鳴らす長さを表している。
振動フラグが０ではない場合（Ｓ１００：ｎｏ）は、不正タイマＡの値を１減じ（Ｓ１２５）、不正タイマＡの値が０になったか否かを判定する（Ｓ１３０）。不正タイマＡの値が０でなければ（Ｓ１３０：ｎｏ）そのまま本処理を終了する。不正タイマＡの値が０であれば（Ｓ１３０：ｙｅｓ）、振動フラグを０にし（Ｓ１３５）、振動報知中断処理を行い（Ｓ１４０）、主制御基板８０に出力していた振動不正情報を停止（Ｓ１４５）すると本処理を終了する。
【００６４】
Ｓ１０の磁気判定処理の概要を図１０に示す。本処理が起動されると、Ｓ１５０にて磁気フラグが０か否かを判定する。磁気フラグとは現在、パチンコ機５０に磁石などが原因で異常な磁気が発生していることを示すフラグである。磁気フラグが０であれば、Ｓ１５５にて磁気を検出したか否かを判定する。検出していなければ（Ｓ１５５：ｎｏ）そのまま本処理を終了する。磁気を検出した場合（Ｓ１５５：ｙｅｓ）は、磁気報知処理を行い（Ｓ１６０）、磁気フラグを１にし（Ｓ１６５）、不正タイマＢの値を設定し（Ｓ１７０）、磁気不正情報を主制御基板８０に出力（Ｓ１７３）すると本処理を終了する。なお、磁気報知処理とは、スピーカ６６から、異常な磁気の検出に対応した警報音として予め設定されている音を出力する処理で、不正タイマＢは、その警報音を鳴らす長さを表している。
【００６５】
磁気フラグが０ではない場合（Ｓ１５０：ｎｏ）は、不正タイマＢの値を１減じ（Ｓ１７５）、不正タイマＢの値が０になったか否かを判定する（Ｓ１８０）。不正タイマＢの値が０でなければ（Ｓ１８０：ｎｏ）そのまま本処理を終了する。不正タイマＢの値が０であれば（Ｓ１８０：ｙｅｓ）、磁気フラグを０にし（Ｓ１８５）、磁気報知中断処理を行い（Ｓ１９０）、主制御基板８０に出力していた磁気不正情報を停止（Ｓ１９５）すると本処理を終了する。
【００６６】
Ｓ１５の電波判定処理を図１１のフローチャートに示す。本処理が起動されると、電波フラグが０か否かを判定する（Ｓ２００）。電波フラグとは現在、パチンコ機５０が異常な電波にさらされていることを示すフラグである。電波フラグが０であれば（Ｓ２００：ｙｅｓ）、Ｓ２０５にて電波を検出したか否かを判定する。検出していなければ（Ｓ２０５：ｎｏ）そのまま本処理を終了する。電波を検出した場合（Ｓ２０５：ｙｅｓ）は、電波報知処理を行い（Ｓ２１０）、電波フラグを１にし（Ｓ１１５）、不正タイマＣの値を設定し（Ｓ２２０）、電波不正情報を主制御基板８０に出力（Ｓ２２３）すると本処理を終了する。電波報知処理とは、異常な電波の検出に対応した警報音として予め設定されている音を、スピーカ６６から出力する処理で、不正タイマＣは、その警報音を鳴らす長さを表している。
電波フラグが０ではない場合（Ｓ２００：ｎｏ）は、不正タイマＣの値を１減じ（Ｓ２２５）、不正タイマＣの値が０になったか否かを判定する（Ｓ２３０）。不正タイマＣの値が０でなければ（Ｓ２３０：ｎｏ）そのまま本処理を終了する。不正タイマＣの値が０であれば（Ｓ２３０：ｙｅｓ）、電波フラグを０にし（Ｓ２３５）、電波報知中断処理を行い（Ｓ２４０）、主制御基板８０に出力していた電波不正情報を停止（Ｓ２４５）すると本処理を終了する。
【００６７】
以上のように構成されたパチンコ機５０によれば、振動検出ＳＷ１１０，磁気検出ＳＷ１１１，電波検出ＳＷ１１２の検出結果に基づく、不正が行なわれたか否かの判定、および不正情報信号の生成・送信を、サブ統合制御基板８３のＣＰＵ３０２が行なうので、主制御基板８０のＣＰＵ２０２の負担が増えることはない。しかも、不正情報信号は、主制御基板８０の第２入力端子２０５に入力された後、主制御基板８０の第３出力端子２０６を介して外部接続端子板７８に出力されるので、外部接続端子板７８とサブ統合制御基板８３を接続するという作業を行なう必要が無い。このため、組み立て時に手間がかかったり、接続ミスをする確率が増大したりすることがない。また、不正の報知は主制御基板８０からの命令が無くても、サブ統合制御基板８３で独自に行なうので、この点でも主制御基板８０の処理負担を軽減することができている。
そして不正情報信号は、主制御基板８０の入力可能領域に設けられた第２入力端子に対して行なわれ、主制御基板８０に入力不能領域に設けられたＣＰＵ２０２には全く影響を与えないので、不正情報信号の経路を用いた不正行為の発生を防止することもできる。
【００６８】
ここで本参考例の構成と、本発明の構成要件との対応関係を示す。主制御基板８０が本発明の「主基板」に相当し、ＣＰＵ２０２が本発明の「遊技制御手段」に相当し、サブ統合制御基板８３が本発明の「周辺基板」に相当し、外部接続端子板７８が本発明の「外部接続基板」に相当し、振動検出ＳＷ１１０，磁気検出ＳＷ１１１，及び電波検出ＳＷ１１２が本発明の「第１不正検出手段」に相当し、振動判定処理、磁気判定処理、および電波判定処理が本発明の「第１不正判断手段」に相当し、第３出力端子２０６が本発明の「不正信号出力部」に相当し、振動判定処理のＳ１１０，磁気判定処理のＳ１６０，及び電波判定処理のＳ２１０が本発明の「不正報知手段」に相当し、不正情報出力処理のＳ２８０が本発明の「第１不正信号送信処理」に相当する。
【００６９】
なお、前記説明した構成では、振動不正情報信号、磁気不正情報信号、電波不正情報信号を個別にサブ統合制御基板８３から主制御基板８０に送信していたが、これらを統合して、不正情報信号として送信しても良い。その場合の主要部の構成は図１２のようになる。サブ統合制御基板８３は、その内部で振動不正情報信号、磁気不正情報信号、電波不正情報信号の内の少なくとも一つが生成された場合には、それを不正情報信号として主制御基板８０に送信する。こうして主制御基板８０に入力された不正情報信号はそのまま外部接続端子板７８に出力される。
その各構成の信号の流れは図１３のようになる。サブ統合制御基板８３の出力端子３０４から出力された不正情報信号は、主制御基板８０の入力可能領域に設けられた第２入力端子２０５に入力される。そしてそのまま主制御基板８０の入力可能領域に設けられた第３出力端子２０６から出力され、外部接続端子板７８の第２入力端子４０２に入力される。
【００７０】
この場合の外部接続端子板７８は図１４のようになる。不正情報の信号が３種類から１種類になるのに伴い、ホールコンピュータ接続用コネクタ（出力端子４０３）が１６個に減っている。そして、賞球信号はピン１とピン９に割り振られ、内枠・ガラス枠開放信号はピン２とピン１０に割り振られ、不正情報の信号はピン３とピン１１に割り振られ、始動口１信号はピン４とピン１２に割り振られ、図柄確定回数信号はピン５とピン１３に割り振られ、大当り１信号はピン６とピン１４に割り振られ、大当り２信号はピン７とピン１５に割り振られ、大当り３信号はピン８とピン１６に割り振られている。
【００７１】
なお、図１３に示した信号の流れを図１５のようにしてもよい。この構成では、外部接続端子板７８が第１入力端子４０１から受信した信号を第１出力端子４０４からホールコンピュータ８７に出力し、第２入力端子４０２から受信した信号を第２出力端子４０５からホールコンピュータ８７に出力する。このようにしても図６に記載した態様と同様の効果を奏することができる。また、サブ統合制御基板８３の出力端子３０４から第２出力端子４０５にいたる経路が、主制御基板８０の入力不能領域から電気的に隔絶されているため、サブ統合制御基板８３からの信号が主制御基板８０の入力不能領域に入力されることはない。
【００７２】
また、図１３に示した信号の流れを図１６のようにしてもよい。この構成では、主制御基板８０のＣＰＵ２０２から出力される始動口ＳＷ１１ａ，１１ｂによる検出結果、ガラス枠開放ＳＷ１６ａによる検出結果、内枠開放ＳＷ１６ｂによる検出結果、大当り１、大当り２、大当り３の各信号、及び特別図柄の変動回数が、第３出力端子２０６からホールコンピュータ８７に出力される。このようにしても図６に記載した態様と同様の効果を奏することができる。また、外部接続端子板７８の入力端子を入力端子４０１のみにできるので、主制御基板８０との接続が容易であり、挿し間違えをしにくくすることができる。
【００７３】
図１３に示した信号の流れを図１７のようにしてもよい。この構成では、主制御基板８０に、入力可能領域でも入力不能領域でもない領域に第４出力端子２０７を備えており、ここから主制御基板８０のＣＰＵ２０２から出力される始動口ＳＷ１１ａ，１１ｂによる検出結果、ガラス枠開放ＳＷ１６ａによる検出結果、内枠開放ＳＷ１６ｂによる検出結果、大当り１、大当り２、大当り３の各信号、及び特別図柄の変動回数、ならびに第２入力端子２０５から入力された不正情報の信号が外部接続端子板７８へと出力される。このようにしても図６に記載した態様と同様の効果を奏することができる。また、外部接続端子板７８の入力端子を入力端子４０１のみにできるので、主制御基板８０との接続が容易であり、挿し間違えをしにくくすることができる。
【００７４】
［実施例１］
第１の実施例について図１８〜２４を用いて説明する。なお、本実施例は第１参考例と共通点が多いため、異なる点のみを重点的に説明する。
図１８に、実施例１の不正検知システムの概要を示す。本図が図５に示した第１参考例のシステムと異なるのは、サブ統合制御基板８３の第２入力端子３０３に入力された振動検出ＳＷ１１０，磁気検出ＳＷ１１１，電波検出ＳＷ１１２による検出信号は、ＣＰＵ３０２を経ることなく出力端子３０４から主制御基板８０の第２入力端子へと入力され、主制御基板８０に新設された第２ＣＰＵ２１２にて、前記３種類の不正情報の信号が生成される点である。なお、図１７に示す第１ＣＰＵ２０２は、図６などに示したＣＰＵ２０２と実質的に同じものである。
【００７５】
第１実施例の振動判定処理の概要は図１９に示すフローチャートのようになっている。本処理は主制御基板８０の第２ＣＰＵ２１２により実行される。なお、図８の不正検出処理に相当する処理も第２ＣＰＵ２１２により実行されるが、第１参考例と全く同じ概要となるため省略した。
振動判定処理が起動されると、振動フラグが０か否かを判定する（Ｓ３００）。振動フラグが０であれば（Ｓ３００：ｙｅｓ）、Ｓ３０５にて振動を検出したか否かを判定する。検出していなければ（Ｓ３０５：ｎｏ）そのまま本処理を終了する。振動を検出した場合（Ｓ３０５：ｙｅｓ）は、振動フラグを１にし（Ｓ３１０）、不正タイマＡの値を設定し（Ｓ３１５）、振動不正情報を外部接続端子板７８に出力（Ｓ３１８）すると本処理を終了する。
【００７６】
振動フラグが０ではない場合（Ｓ３００：ｎｏ）は、不正タイマＡの値を１減じ（Ｓ３２０）、不正タイマＡの値が０になったか否かを判定する（Ｓ３２５）。不正タイマＡの値が０でなければ（Ｓ３２５：ｎｏ）そのまま本処理を終了する。不正タイマＡの値が０であれば（Ｓ３２５：ｙｅｓ）、振動フラグを０にし（Ｓ３３０）、外部接続端子板７８に出力していた振動不正情報を停止（Ｓ３３５）すると本処理を終了する。
つまり、この振動判定処理では、第１参考例に示したものに比べ、振動報知処置（Ｓ１１０）がないものとなっている。これは、本処理がサブ統合制御基板８３ではなく主制御基板８０にて実行されているため、スピーカ６６を制御できないことによる。これに伴い振動報知中断処置（Ｓ１４０）も有しない処理となっている。
【００７７】
第１実施例の磁気判定処理の概要を図２０に示す。本処理が起動されると、Ｓ３５０にて磁気フラグが０か否かを判定する。磁気フラグが０であれば、Ｓ３５５にて磁気を検出したか否かを判定する。検出していなければ（Ｓ３５５：ｎｏ）そのまま本処理を終了する。磁気を検出した場合（Ｓ３５５：ｙｅｓ）は、磁気フラグを１にし（Ｓ３６０）、不正タイマＢの値を設定し（Ｓ３６５）、磁気不正情報を外部接続端子板７８に出力（Ｓ３６８）すると本処理を終了する。
【００７８】
磁気フラグが０ではない場合（Ｓ３５０：ｎｏ）は、不正タイマＢの値を１減じ（Ｓ３７０）、不正タイマＢの値が０になったか否かを判定する（Ｓ３７５）。不正タイマＢの値が０でなければ（Ｓ３７５：ｎｏ）そのまま本処理を終了する。不正タイマＢの値が０であれば（Ｓ３７５：ｙｅｓ）、磁気フラグを０にし（Ｓ３８０）、外部接続端子板７８に出力していた磁気不正情報を停止（Ｓ３８５）すると本処理を終了する。
この磁気判定処理を第１参考例の磁気判定処理と比較すると、図１９の振動判定処理と同じ理由により、磁気報知処置（Ｓ１６０）、磁気報知中断処置（Ｓ１９０）を有しない処理となっている。
【００７９】
第１実施例の電波判定処理を図２１のフローチャートに示す。本処理が起動されると、電波フラグが０か否かを判定する（Ｓ４００）。電波フラグが０であれば（Ｓ４００：ｙｅｓ）、Ｓ４０５にて電波を検出したか否かを判定する。検出していなければ（Ｓ４０５：ｎｏ）そのまま本処理を終了する。電波を検出した場合（Ｓ４０５：ｙｅｓ）は、電波フラグを１にし（Ｓ４１０）、不正タイマＣの値を設定し（Ｓ４１５）、磁気不正情報を外部接続端子板７８に出力（Ｓ４１８）すると本処理を終了する。
電波フラグが０ではない場合（Ｓ４００：ｎｏ）は、不正タイマＣの値を１減じ（Ｓ４２０）、不正タイマＣの値が０になったか否かを判定する（Ｓ４２５）。不正タイマＣの値が０でなければ（Ｓ４２５：ｎｏ）そのまま本処理を終了する。不正タイマＣの値が０であれば（Ｓ４２５：ｙｅｓ）、電波フラグを０にし（Ｓ４３０）、外部接続端子板７８に出力していた電波不正情報を停止（Ｓ４３５）すると本処理を終了する。
この電波判定処理を第１参考例の電波判定処理と比較すると、図１９の振動判定処理と同じ理由により、電波報知処置（Ｓ２１０）、電波報知中断処置（Ｓ２４０）を有しない処理となっている。
【００８０】
以上のように構成されたパチンコ機５０によれば、第１参考例と略同様の不正監視を行なうことができる。そして更に、不正検出処理（図示せず）、振動判定処理、磁気判定処理、および電波判定処理を、主制御基板８０に設けられた第２ＣＰＵ２１２が行なうので、サブ統合制御基板８３のＣＰＵ３０２の処理負担が増大するのも防ぐことが出来る。
ここで、第２入力端子３０３は本発明の「検出結果受信部」に相当し、出力端子３０４は本発明の「検出結果送信部」に相当する。なお、前記態様では、第２ＣＰＵ２１２が報知動作に対応するコマンドを送信しない構成であったが、こうしたコマンドをサブ統合制御基板８３に送信して、スピーカ６６やランプ２６にて報知する構成としても良い。また、サブ統合制御基板８３以外の基板（例えば演出図柄制御基板８２）にコマンドを送信して報知動作を行なう構成や、入力可能領域とランプ２６などのデバイスを直結して報知動作を行なう構成としてもよい。
【００８１】
なお、図１８に示した信号の流れを図２２のようにしてもよい。この構成では、外部接続端子板７８が第１入力端子４０１から受信した信号を第１出力端子４０４からホールコンピュータ８７に出力し、第２入力端子４０２から受信した信号を第２出力端子４０５からホールコンピュータ８７に出力する。このようにしても図１８に記載した態様と同様の効果を奏することができる。
【００８２】
また、図１８に示した信号の流れを図２３のようにしてもよい。この構成では、主制御基板８０の第１ＣＰＵ２０２から出力される始動口ＳＷ１１ａ，１１ｂによる検出結果、ガラス枠開放ＳＷ１６ａによる検出結果、内枠開放ＳＷ１６ｂによる検出結果、大当り１、大当り２、大当り３の各信号、及び特別図柄の変動回数が、第３出力端子２０６からホールコンピュータ８７に出力される。このようにしても図１８に記載した態様と同様の効果を奏することができる。また、外部接続端子板７８の入力端子を入力端子４０１のみにできるので、主制御基板８０との接続が容易であり、挿し間違えをしにくくすることができる。
【００８３】
図１８に示した信号の流れを図２４のようにしてもよい。この構成では主制御基板８０が、入力可能領域と入力不能領域に共通の出力端子である第４出力端子２０７を備えており、ここから主制御基板８０のＣＰＵ２０２から出力される始動口ＳＷ１１ａ，１１ｂによる検出結果、ガラス枠開放ＳＷ１６ａによる検出結果、内枠開放ＳＷ１６ｂによる検出結果、大当り１、大当り２、大当り３の各信号、及び特別図柄の変動回数、ならびに第２入力端子２０５から入力された不正情報の信号が外部接続端子板７８へと出力される。このようにしても図１８に記載した態様と同様の効果を奏することができる。また、外部接続端子板７８の入力端子を入力端子４０１のみにできるので、主制御基板８０との接続が容易であり、挿し間違えをしにくくすることができる。
また、図１８、図２２、図２３、図２４に示した構成では、振動検出ＳＷ１１０，磁気検出ＳＷ１１１，電波検出ＳＷ１１２にて検出した信号に基づき、第２ＣＰＵ２１２が各不正情報信号を送信する構成であったが、これを図１３に示したように第２ＣＰＵ２１２にて１個の信号に統合して外部接続端子板７８に送信する構成としても良い。統合の方法としては、振動検出ＳＷ１１０，磁気検出ＳＷ１１１，電波検出ＳＷ１１２の内の少なくとも１つで不正と思われる信号を検出した場合には、不正情報信号を出力すること等を挙げることができる。
【００８４】
［第２参考例］
第２参考例について図２５〜２９を用いて説明する。なお、本参考例も第１参考例と共通点が多いため、異なる点のみを重点的に説明する。
図２５に、第２参考例の不正検知システムの概要を示す。本図が図１２に示した第１参考例のシステムと異なるのは、振動検出ＳＷ１１０，磁気検出ＳＷ１１１，電波検出ＳＷ１１２による検出結果が、サブ統合制御基板８３ではなく主制御基板８０に入力され、ガラス枠開放ＳＷ１６ａ、内枠開放ＳＷ１６ｂによる検出結果が、主制御基板８０ではなくサブ統合制御基板８３に入力されている点である。これに伴い、各構成の信号の流れは図２６に示すように変化している。
【００８５】
図２７に、サブ統合制御基板８３のＣＰＵ３０１が実行する不正検出処理を概要を示す。本処理が起動されると、まずＳ４５０にて枠開放判定処理を行なう。次にＳ４５５にて枠情報出力処理を行なうと、本処理を終了する。
Ｓ４５０の枠開放判定処理の概要は図２８に示すフローチャートのようになっている。本処理が起動されると、枠開放フラグが０か否かを判定する（Ｓ５００）。枠開放フラグとは内枠７０またはガラス枠（前枠５２）が開放していることを示すもので、１がいずれかが開放していることを、０がいずれも閉鎖していることを示す。枠開放フラグが０であれば（Ｓ５００：ｙｅｓ）、Ｓ５０５にて枠開放を検出したか否かを判定する。検出していなければ（Ｓ５０５：ｎｏ）そのまま本処理を終了する。枠開放を検出した場合（Ｓ５０５：ｙｅｓ）は、枠開放フラグを１にし（Ｓ５１０）、枠開放報知処理を行い（Ｓ５１５）、本処理を終了する。
【００８６】
枠開放フラグが０ではない場合（Ｓ５００：ｎｏ）は、枠閉鎖を検出したか否かを判定する（Ｓ５２０）。枠閉鎖を検出していなければ（Ｓ５２０：ｎｏ）そのまま本処理を終了する。枠閉鎖を検出していれば（Ｓ５２０：ｙｅｓ）、枠開放フラグを０にし（Ｓ５２５）、枠開放報知中断処理を行い（Ｓ５３０）、本処理を終了する。
本処理は、第１参考例や実施例１の振動判定処理とは異なり、不正タイマＡを備えていないため、枠が開放されている間中、報知動作が行なわれる。
【００８７】
Ｓ４５５の枠情報出力処理の概要を図２９に示す。本処理が起動されると、Ｓ６００にて、枠開放フラグが０か否かを判定する。枠開放フラグが０であれば（Ｓ６００：ｙｅｓ）、Ｓ６０５にて枠開放を出力中か否かを判定する。出力中でなければ（Ｓ６０５：ｎｏ）そのまま本処理を終了する。枠開放を出力中であれば（Ｓ６０５：ｙｅｓ）は、枠開放出力を停止し（Ｓ６１０）、本処理を終了する。枠開放フラグが０でなければ（Ｓ６００：ｎｏ）、Ｓ６１５にて枠開放を出力中か否かを判定する。出力中であれば（Ｓ６１５：ｙｅｓ）そのまま本処理を終了する。枠開放を出力中でなければ（Ｓ６１５：ｙｅｓ）は、枠開放を出力し（Ｓ６２０）、本処理を終了する。
なお、フローチャートは示さないが、振動検出ＳＷ１１０，磁気検出ＳＷ１１１，電波検出ＳＷ１１２による検出結果に基づいて、第１ＣＰＵ２０２が不正情報の信号を生成し、第１出力端子２０３を介して外部接続端子板７８へ出力（この処理が本発明の「第２不正信号送信手段」に相当）する。
【００８８】
以上のように構成されたパチンコ機５０によっても、第１参考例、実施例１と略同様の不正監視を行なうことができる。そして、本参考例では更に、振動検出ＳＷ１１０，磁気検出ＳＷ１１１，電波検出ＳＷ１１２の検出結果から不正が行なわれたか否かの判定を主制御基板８０のＣＰＵ２０２が行なうので、この判定結果に応じて、遊技の流れを変更することが可能となる。例えば、不正が発生したと判定された場合には、ＣＰＵ２０２が当否抽選を行なわない、賞球を払い出さない、大当り状態や確変状態に移行させない（これらの処理が本発明の「遊技制限手段」に相当）といったことが可能となる。
なお、このような処理を行なう分、ＣＰＵ２０２の処理は増大するが、ガラス枠開放ＳＷ１６ａ、内枠開放ＳＷ１６ｂに係る処理を行なわない分だけ、処理負担は軽減されている。
この態様では、ガラス枠開放ＳＷ１６ａ及び内枠開放ＳＷ１６ｂが本発明の「第１不正検出手段」に相当し、振動検出ＳＷ１１０，磁気検出ＳＷ１１１，電波検出ＳＷ１１２が本発明の「第２不正検出手段」に相当し、枠開放判定処理のＳ５１５が本発明の「不正報知手段」に相当し、枠情報出力処理のＳ６２０が本発明の「第１不正信号送信手段」に相当する。
【００８９】
［他の実施例］
図１３に示した信号の流れを図３０のようにしてもよい。この構成では、サブ統合制御基板８３から出力された不正情報の信号が、主制御基板８０ではなく、払出制御基板８１に入力されている。そして、第３出力端子５０２から出力された不正情報の信号は、ＣＲユニット端子板２４の第２入力端子６０２に入力され、ＣＲユニット端子板２４の出力端子６０３から図示しないＣＲユニット５６へと出力される。なお、主制御基板８０の第１出力端子２０３から出力される賞球信号、内枠・ガラス枠開放信号なども、ＣＲユニット端子板２４（詳しくは第１入力端子６０１）に入力され、出力端子６０３からＣＲユニット５６に出力される。このようにすると、ＣＲユニット５６にて、不正の監視を行なうことが可能となる。
この態様では、ＣＲユニット端子板２４が本発明の「外部接続基板」に相当し、払出制御基板８１が本発明の「入力可能領域」に相当し、主制御基板８０の全体が本発明の「入力不能領域」に相当し、第３出力端子５０２が本発明の「不正信号出力部」に相当する。なお、ＣＲユニット５６から更にホールコンピュータ８７へと接続し、不正の発生の有無をホールコンピュータ８７にて監視可能に構成してもよい。
【００９０】
また、図３０に示した信号の流れを図３１のようにしてもよい。この構成では、主制御基板８０の第１出力端子２０３から出力された信号が、ＣＲユニット端子板２４ではなく、払出制御基板８１（詳しくはその第１入力端子５０５）に入力されている。そして、払出制御基板８１の第１出力端子５０３から出力された信号は、ＣＲユニット端子板２４の第１入力端子６０１に入力される。この態様では、払出制御基板８１が本発明の「主基板」に相当する。このようにしても図３０に記載した態様と同様の効果を奏することができる。
なお、払出制御基板８１のＣＰＵ５０４は、主制御基板８０と交信をして、賞球や貸球の制御に係る処理を行なう払出制御基板８１に既存のＣＰＵであり、本図には示されていないが、この交信のために払出制御基板８１の出力端子（例えば第１出力端子５０３）から信号を主制御基板８０に送信する。その信号は主制御基板８０の入力端子（例えば第１入力端子２０１）に入力される。この態様では、払出制御基板８１の、第２入力端子５０１から第３出力端子５０２に至る経路を含む部分が本発明の入力可能領域に相当し、第１入力端子５０５からＣＰＵ５０４を経て第１出力端子５０３に至る経路を含む部分が本発明の入力不能領域に相当する。
【００９１】
また、図１３に示した信号の流れを図３２のようにしてもよい。この構成では、主制御基板８０の入力可能領域に第２ＣＰＵ２１２を設け、この第２ＣＰＵ２１２にて、第２入力端子２０５を介して受信した不正情報の信号を処理し、第３出力端子２０６から外部接続端子板７８へ出力する。第２ＣＰＵ２１２が行なう処理の内容としては、サブ統合制御基板８３から不正信号の受信を所定の条件が成立したときのみ受け付ける（例えば、振動不正情報は特定入球口１０７が有効の場合のみ受け付け、電波不正情報は入賞を検出したときのみ受け付ける等）とか、所定の条件が成立したとき（例えば一定期間、不正情報の信号を受信したとき）に限り、その不正信号を出力する等を挙げることができる。このようにすると、第１参考例の態様に比べ、よりきめこまかい不正信号の送受信を行なうことができる。
【００９２】
図３２に示した信号の流れを図３３のようにしてもよい。この構成では、外部接続端子板７８が第１入力端子４０１から受信した信号を第１出力端子４０４からホールコンピュータ８７に出力し、第２入力端子４０２から受信した信号を第２出力端子４０５からホールコンピュータ８７に出力する。このようにしても図３２に記載した態様と同様の効果を奏することができる。
【００９３】
また、図３２に示した信号の流れを図３４のようにしてもよい。この構成では、主制御基板８０のＣＰＵ２０２から出力される始動口ＳＷ１１ａ，１１ｂによる検出結果、ガラス枠開放ＳＷ１６ａによる検出結果、内枠開放ＳＷ１６ｂによる検出結果、大当り１、大当り２、大当り３の各信号、及び特別図柄の変動回数が、第３出力端子２０６からホールコンピュータ８７に出力される。このようにしても図３２に記載した態様と同様の効果を奏することができる。また、外部接続端子板７８の入力端子を入力端子４０１のみにできるので、主制御基板８０との接続が容易であり、挿し間違えをしにくくすることができる。
【００９４】
なお、図３２に示した信号の流れを図３５のようにしてもよい。この構成では、主制御基板８０に、入力可能領域と入力不能領域に共通の出力端子である第４出力端子２０７を備えており、ここから主制御基板８０のＣＰＵ２０２から出力される始動口ＳＷ１１ａ，１１ｂによる検出結果、ガラス枠開放ＳＷ１６ａによる検出結果、内枠開放ＳＷ１６ｂによる検出結果、大当り１、大当り２、大当り３の各信号、及び特別図柄の変動回数、ならびに第２入力端子２０５から入力された不正情報の信号が外部接続端子板７８へと出力される。このようにしても図３２に記載した態様と同様の効果を奏することができる。また、外部接続端子板７８の入力端子を入力端子４０１のみにできるので、主制御基板８０との接続が容易であり、挿し間違えをしにくくすることができる。
【００９５】
また、図１３に示した信号の流れを図３６のようにしてもよい。この構成では、外部接続端子板７８内にＩＣ４０７を設け、ここに第２入力端子４０２を介して受信した不正情報信号と、第１入力端子４０１を介して受信した枠の開閉に係る信号が入力される。ＩＣ４０７は、汎用ロジックＩＣであり、第１入力端子４０１および第２入力端子４０２を介して入力された信号に対してＯＲ演算を行なうことにより、新たな不正信号を生成して出力端子４０３に出力する。すなわち、振動検出ＳＷ１１０，磁気検出ＳＷ１１１，電波検出ＳＷ１１２に基づいて不正が行なわれた可能性が高いか、もしくは枠が開放されたときに、不正情報信号を出力する。なお、始動口ＳＷ１１ａ，１１ｂによる検出結果、大当り１、大当り２、大当り３の各信号、及び特別図柄の変動回数については、図６と同様、第１入力端子４０１から出力端子４０３に直接出力される。
【００９６】
こうすると、第１参考例の図１２等に示した態様に比べ、端子が１つ空くことになるが、この端子からは大当たりが発生していないのに大入賞口１４，１５に遊技球が入球したことを示す信号を出力する。従って、この構成によれば、振動、磁気、または電波を用いた不正に関する信号、枠の開閉に関する信号、および非大当り中に発生した大入賞口１４，１５に入球したことを示す信号をいずれも外部接続端子板７８に出力することができるものとなっている。なお、パチンコ機の種類によっては、不正行為の検出対象が変わる場合がある。例えば、振動が大当たりの発生に影響を与えない機種においては、振動検出ＳＷ１１０は必要が無いといった具合である。また、ホールコンピュホールコンピュータ８７に送信する情報としては、こうした振動等の検出結果と、内枠・ガラス枠開放の検出結果の少なくとも一方があればいいという場合もある。そうした場合には、ＩＣ４０７によりこれらの信号を統合して、外部接続端子板７８から信号を送信するようにすれば、パチンコ機の機種が変わってもホールコンピュータ８７への信号線の数が一定となるため、ホールコンピュータ８７への接続が容易となる。
【００９７】
図１６に示した信号の流れを図３７のようにしてもよい。この構成では、主制御基板８０内にＩＣ２０７を設け、ここに第２入力端子２０５を介して受信した不正情報信号と、ＣＰＵ２０２が生成した枠の開閉に係る信号が入力される。ＩＣ２０７は、汎用ロジックＩＣであり、第２入力端子２０５を介して入力された信号およびＣＰＵ２０２が生成した信号に対してＯＲ演算を行なうことにより、新たな不正信号を生成して第３出力端子２０６に出力する。なお、始動口ＳＷ１１ａ，１１ｂによる検出結果、大当り１、大当り２、大当り３の各信号、及び特別図柄の変動回数については、図１４と同様、ＣＰＵ２０２から第３出力端子２０６に直接出力される。このようにしても図３５に示した態様と同様の効果を奏するものとなる。
なお、ＩＣ２０７として、汎用ロジックＩＣではなく、プログラマブルロジックデバイスを用い、より複雑な演算を可能に構成してもよい（図３５のＩＣ４０７についても同様）。
【００９８】
図１８に示した信号の流れを図３８のようにしてもよい。この構成では、主制御基板８０の第１ＣＰＵ２０２から主制御基板８０の第２ＣＰＵ２１２に信号が送信されている。この信号に基づいて、第２ＣＰＵ２１２が実行する不正情報出力処理を概要を図３９に示す。なお、本処理の前処理である振動判定処理、磁気判定処理、および電波判定処理において、各検出結果を示すフラグを生成するが、その各処理においては不正情報の出力およびその停止は行なわず、以下に示す不正情報出力処理により、不正情報を出力するか否かを決定するものとする。本処理が起動されると、まず振動フラグが１か否かを判定する（Ｓ６５０）。振動フラグが１であれば（Ｓ６５０：ｙｅｓ）、Ｓ６５５にて特定入球口１０７が有効か否かを判定する。これは、第１ＣＰＵ２０２から受信した信号により判定できる。特定入球口１０７が有効であれば（Ｓ６５５：ｙｅｓ）、不正情報を出力中であるか否かを判定する（Ｓ６７５）。不正情報を出力中でなければ（Ｓ６７５：ｎｏ）、不正情報を出力し（Ｓ６８０）、本処理を終了する。不正情報を出力中であれば（Ｓ６７５：ｙｅｓ）、そのまま本処理を終了する。
【００９９】
Ｓ６５０で振動フラグが１ではない場合と判定された場合、またはＳ６５５で特定入球口１０７が有効ではないと判定された場合は、Ｓ６６０にて磁気フラグが１か否かを判定する。磁気フラグが１であれば、Ｓ６７５に移行する。磁気フラグが１ではない場合（Ｓ６６０：ｎｏ）は、電波フラグが１か否かを判定する（Ｓ６６５）。電波フラグが１であれば（Ｓ６６５：ｙｅｓ）、Ｓ６７０にて入賞を検出したか否かを判定する。これは、第１ＣＰＵ２０２から受信した信号により判定できる。入賞を検出している場合（Ｓ６７０：ｙｅｓ）は、Ｓ６７５に移行する。Ｓ６６５にて電波フラグが１ではないと判定された場合またはＳ６７０にて入賞を検出していないと判定された場合（Ｓ６７０：ｎｏ）は、Ｓ６８５にて、不正情報を出力中であるか否かを判定する。不正情報を出力中であれば（Ｓ６８５：ｙｅｓ）、不正情報の出力を停止し（Ｓ６９０）、本処理を終了する。不正情報を出力中でなければ（Ｓ６８５：ｎｏ）、そのまま本処理を終了する。
【０１００】
つまり、この不正情報出力処理によれば、たとえ振動が検知されても（Ｓ６５０：ｙｅｓ）、振動の影響を受ける特定入球口が有効でなければ（Ｓ６５５：ｎｏ）不問にする。また、たとえ異常な電波が検知されても（Ｓ６６５：ｙｅｓ）、電波の影響を受け易い入賞の検出がされなければ（Ｓ６７０：ｎｏ）不正情報を出力しない。このように遊技者が不意にパチンコ機５０に与えてしまった振動や、何らかの不具合等により発生した電波により、過剰に不正情報を発生させることが無く、遊技者とパチンコホールとの間で無用のトラブルが発生するのを抑えることが出来る。なおＳ６８０の処理は、本発明の「第１不正信号送信手段」に相当する。
【０１０１】
前記いずれの実施例および参考例においても、振動検出ＳＷ１１０は上皿５５の内部に，磁気検出ＳＷ１１１および電波検出ＳＷ１１２は遊技盤１の裏側に設けていたが、遊技機の仕様に応じてこれらの検出ＳＷを設ける位置は変更しても良い。また、不正情報信号の基となる要素として、振動、磁気、電波の３種類を検出する構成としたが、これらの内の幾つか（１種類のみを含む）のみを検出する構成としても良い。また、これら、３種類以外の要素を、振動、磁気、電波の内の幾つか（全て、または１種類のみを含む）に加え、これらから不正情報信号を生成しても良い。
【０１０２】
また、前記実施例および参考例の幾つかを適宜組み合わせ構成し直してもよい。例えば、図３５に示した態様において、主制御基板８０にＩＣを設け、第１ＣＰＵの出力した信号の一部と第２ＣＰＵ２１２の出力した信号とでＯＲ演算などを行なったうえで、第４出力端子２０７から出力するように構成してもよい。また、図３１において払出制御基板８１は第１出力端子５０３と第３出力端子５０２を備え、主制御基板８０から受信した信号は第１出力端子５０３から出力する構成であったが、これを図１６に示したように、主制御基板８０から受信した信号も第３出力端子５０２から出力するように構成したり、図１７のように入力不能領域と入力可能領域のいずれにも属さない第４出力端子２０７から出力するように構成したりしてもよい。また、図３８、図３９に示した態様は、図１８に示した信号の流れをベースとしたものであったが、これを図６に示した態様をベースにしたものに構成し直してもよい。具体的には、図３９の処理は主制御基板８０の第２ＣＰＵ２１２が行なっていたが、これをサブ制御基板８３のＣＰＵ３０２が実行するように構成し直す。この場合、特定入球口１０７が有効か否か、入賞が検出されているか否かを示す信号を主制御基板８０からサブ統合制御基板８３が受けとることになる。もちろん、これらの信号以外に（またはこれらの信号に加えて）、振動の影響を受ける遊技状態の信号や、電波の影響を受ける遊技状態の信号を主制御基板８０から受信し、不正として判断するか不問にするかを判定しても良い。
【符号の説明】
【０１０３】
１６ａ：  ガラス枠開放ＳＷ      、  １６ｂ：  内枠開放ＳＷ
２４  ：  ＣＲユニット          、  ５６  ：  ＣＲユニット端子板
７０  ：  内枠                  、  ７８  ：  外部接続端子板
８０  ：  主制御基板            、  ８１  ：  払出制御基板
８３  ：  サブ統合制御基板      、  ８７  ：  ホールコンピュータ
８８  ：  ホールコンピュータ接続用コネクタ
８９  ：  遊技機接続用コネクタ  、  １１０：  振動検出ＳＷ
１１１：  磁気検出ＳＷ          、  １１２：  電波検出ＳＷ
【図１】
0005467239.tif 000002
【図２】
0005467239.tif 000003
【図３】
0005467239.tif 000004
【図４】
0005467239.tif 000005
【図５】
0005467239.tif 000006
【図６】
0005467239.tif 000007
【図７】
0005467239.tif 000008
【図８】
0005467239.tif 000009
【図９】
0005467239.tif 000010
【図１０】
0005467239.tif 000011
【図１１】
0005467239.tif 000012
【図１２】
0005467239.tif 000013
【図１３】
0005467239.tif 000014
【図１４】
0005467239.tif 000015
【図１５】
0005467239.tif 000016
【図１６】
0005467239.tif 000017
【図１７】
0005467239.tif 000018
【図１８】
0005467239.tif 000019
【図１９】
0005467239.tif 000020
【図２０】
0005467239.tif 000021
【図２１】
0005467239.tif 000022
【図２２】
0005467239.tif 000023
【図２３】
0005467239.tif 000024
【図２４】
0005467239.tif 000025
【図２５】
0005467239.tif 000026
【図２６】
0005467239.tif 000027
【図２７】
0005467239.tif 000028
【図２８】
0005467239.tif 000029
【図２９】
0005467239.tif 000030
【図３０】
0005467239.tif 000031
【図３１】
0005467239.tif 000032
【図３２】
0005467239.tif 000033
【図３３】
0005467239.tif 000034
【図３４】
0005467239.tif 000035
【図３５】
0005467239.tif 000036
【図３６】
0005467239.tif 000037
【図３７】
0005467239.tif 000038
【図３８】
0005467239.tif 000039
【図３９】
0005467239.tif 000040